(57)【要約】【課題】  入賞球を、可動片が開放姿勢および閉鎖姿勢のいずれにあるかによって異なる流路へ確実に振り分ける。【解決手段】  操作部材３は、開放姿勢の可動片４Ａの間に進入した入賞球Ｂが前端部３４側に当接したときの荷重によって当該前端部３４が下降移動させられて可動片４Ａを閉鎖姿勢に回動させるるとともに、閉鎖姿勢の可動片４Ａの間に進入した入賞球Ｂが後端部３９側に当接したときの荷重によって可動片４Ａを開放姿勢に回動させる。振分け棒体６が設けられて、可動片４Ａが開放姿勢にあったときの入賞球Ｂを前端部３４側へ、可動片４Ａが閉鎖姿勢にあったときの入賞球Ｂを後端部３９側へ振り分ける。【選択図】        図３
2005342378.tif 000002
【特許請求の範囲】
【請求項１】
略中間部を軸支されて傾動するように筐体内に配設された操作部材と、操作部材の一端部が当接し、当該一端部の上昇移動に伴って開放姿勢に移動させられるとともに前記一端部の下降移動に伴って閉鎖姿勢に移動させられる一対の可動片とを具備し、前記操作部材は、開放姿勢の前記可動片の間に進入した第１の入賞球が前記一端部側に当接したときの荷重によって当該一端部が下降移動させられるとともに、閉鎖姿勢の前記可動片の間に進入した第２の入賞球が他端部側に当接したときの荷重によって前記一端部が上昇移動させられるものである遊技機の入賞球受口器において、前記第１の入賞球を前記一端部側へ、前記第２の入賞球を前記他端部側へ振り分ける振分け部材を設けたことを特徴とする遊技機の入賞球受口器。
【請求項２】
前記可動片は、閉鎖姿勢では入賞球の外径に近い対向間隔で起立するとともに、開放姿勢では互いに離間方向へ傾倒するものであり、前記振分け部材を、閉鎖姿勢で互いに対向する左右の可動片の中央部に配設された振分け棒体で構成した請求項１に記載の遊技機の入賞球受口器。
【請求項３】
前記振分け棒体をその傾斜姿勢が変更できるように設け、前記可動片が開放姿勢になった状態で、前記他端部側への前記第１の入賞球の流通を阻止するように前記振分け棒体の姿勢を変更する姿勢変更手段を設けた請求項２に記載の遊技機の入賞球受口器。
【請求項４】
前記振分け棒体の断面を、頂点を有する形状に成形した請求項２又は３に記載の遊技機の入賞球受口器。
【請求項５】
下降移動時に、前記第１の入賞球が流通する通路内に突出する前記操作部材の前記一端部に、前記可動片を通過した前記第１の入賞球を下流側へ通過させるための切欠き部を形成した請求項１ないし４のいずれかに記載の遊技機の入賞球受口器。
【発明の詳細な説明】
【技術分野】
【０００１】
本発明は、パチンコ遊技機、アレンジボール遊技機等の遊技機の入賞球受口器に関し、特に、開放姿勢と閉鎖姿勢の間で移動する可動片を備えた入賞球受口器に関する。
【背景技術】
【０００２】
この種の入賞球受口器には、一対の翼状可動片を備えて、特別遊技状態ではこれら翼状可動片を大きく離間方向へ開いて入賞球を受けるようにして、受口器への入賞確率が飛躍的に高まるようにしたものがある。そして、上記可動片の開閉作動を、特許文献１に示すように、入賞球の荷重が両端のいずれに付加されるかによって正逆傾動する、いわゆる天秤式の操作部材によって行うようにしたものが知られている。
【特許文献１】特開昭６１−３７９号
【発明の開示】
【発明が解決しようとする課題】
【０００３】
ところで、上記従来の天秤式の入賞球受口器において、可動片が閉鎖姿勢にあった時に受口器内に進入した遊技球と、可動片が開放姿勢にあった時に受口器内に進入した遊技球とをそれぞれ別流路へ流通させるように振り分ける際の、振分けの確実性をより向上させたいという要請があった。
そこで、本発明はこのような要請に鑑みたもので、受口器内に進入した遊技球を、可動片が開放姿勢および閉鎖姿勢のいずれにあるかによって異なる流路へ確実に振り分けることができる遊技機の入賞球受口器を提供することを目的とする。
【課題を解決するための手段】
【０００４】
上記目的を達成するために、本第１発明では、略中間部を軸支されて傾動するように筐体（２）内に配設された操作部材（３）と、操作部材（３）の一端部（３４）が当接し、当該一端部（３４）の上昇移動に伴って開放姿勢に移動させられるとともに一端部（３４）の下降移動に伴って閉鎖姿勢に移動させられる一対の可動片（４Ａ，４Ｂ）とを具備し、操作部材（３）は、開放姿勢の可動片（４Ａ，４Ｂ）の間に進入した第１の入賞球（Ｂ）が一端部（３４）側に当接したときの荷重によって当該一端部（３４）が下降移動させられるとともに、閉鎖姿勢の可動片（４Ａ，４Ｂ）の間に進入した第２の入賞球（Ｂ）が他端部（３９）側に当接したときの荷重によって一端部（３４）が上昇移動させられるものである遊技機の入賞球受口器において、第１の入賞球（Ｂ）を一端部側へ、第２の入賞球（Ｂ）を他端部（３９）側へ振り分ける振分け部材（６）を設ける。
【０００５】
本第１発明においては、振分け部材を設けたことにより、受口器内に進入した遊技球を、可動片が開放姿勢および閉鎖姿勢のいずれにあるかによって確実に振り分けることができる。
【０００６】
本第２発明では、上記可動片（４Ａ，４Ｂ）は、閉鎖姿勢では入賞球（Ｂ）の外径に近い対向間隔で起立するとともに、開放姿勢では互いに離間方向へ傾倒するものであり、振分け部材を、閉鎖姿勢で互いに対向する左右の可動片（４Ａ，４Ｂ）の中央部に配設された振分け棒体（６）で構成する。
【０００７】
本第２発明においては、可動片が閉鎖姿勢にある状態でこれらの間に進入した第２の入賞球は、起立した可動片の内側面によって左右方向への移動が規制されているため、振分け棒体に沿って転動させられて操作部材の他端部側へ送られる。可動片が開放姿勢にある状態で進入した第１の入賞球は、振分け棒体上に留まろうとするがバランスを崩して速やかに落下して、操作部材の一端部側へ送られる。このようにして、入賞球が確実に振り分けられる。
【０００８】
本第３発明では、上記振分け棒体（６）をその傾斜姿勢が変更できるように設け、可動片（４Ａ，４Ｂ）が開放姿勢になった状態で、他端部（３９）側への第１の入賞球（Ｂ）の流通を阻止するように振分け棒体（６）の姿勢を変更する姿勢変更手段（５）を設ける。本第３発明においては、第１の入賞球が進入時の勢い等で誤って操作部材の他端部側へ振り分けられることがなくなる。
【０００９】
本第４発明では、上記振分け棒体（６）の断面を、頂点を有する形状に成形する。本第４発明においては、操作部材の一端部側への第１の入賞球の落下振り分けが、より円滑になされる。
【００１０】
本第５発明では、下降移動時に、第１の入賞球（Ｂ）が流通する流路（Ｓ）内に突出する操作部材（３）の一端部（３４）に、可動片（４Ａ，４Ｂ）を通過した第１の入賞球（Ｂ）を下流側へ通過させるための切欠き部（３５）を形成する。本第５発明においては、可動片が開放姿勢となった状態で、連続して複数の第１の入賞球が進入しても、最初の第１の入賞球で一端部が下降移動させられた操作部材に対して、続く第１の入賞球は、操作部材の上面に載って他端部側へ流通することなく切欠き部を経て下方へ通過し、上記一端部の下降状態を維持する。これにより、複数の第１の入賞球が連続して進入しても、可動片は開放姿勢になることなく閉鎖姿勢に維持される。
【００１１】
なお、上記カッコ内の符号は、後述する実施形態に記載の具体的手段との対応関係を示すものである。
【発明の効果】
【００１２】
以上のように、本発明の遊技機の入賞球受口器によれば、受口器内に進入した遊技球を、可動片が開放姿勢および閉鎖姿勢のいずれにあるかによって確実に異なる流路へ振り分けることができる。
【発明を実施するための最良の形態】
【００１３】
図１は可動片が閉鎖姿勢となった状態での入賞球受口器の斜視図、図２はその正面図、図３はその断面図である。また、図４は可動片が開放姿勢となった状態での入賞球受口器の斜視図、図５はその正面図、図６はその断面図である。
【００１４】
入賞球受口器１の筐体２は、操作部材３を収納した容器部２１と、その前面に装着されたカバー部２２とから構成されている。容器部２１の前壁２１１には開口２１２が形成されており、前壁２１１の外周部は取付用のフランジとなっている。カバー部２２は容器部２１の前壁２１１に接する底壁２２１と、底壁２２１から立ち上がる前壁２２２を備えた断面Ｌ字状のもので（図３）、前壁２２２は上記前壁２１１よりも狭幅の所定形状に成形されて（図２）、前壁２１１に対して一定間隔を保って略平行に延びている。前壁２２２の裏面には上下方向の中間の左右位置に、前壁２１１に向けて突出する一対の軸体４１が設けられて、これら各軸体４１にそれぞれ翼状の可動片４Ａ，４Ｂの基端部が貫通孔を嵌装させて回動可能に装着されている。
【００１５】
前後の前壁２１１，２２２の間に位置させられた各可動片４Ａ，４Ｂは、対向する内側面が平面状に成形され、外側面は膨出する曲面状に成形されている。可動片４Ａ，４Ｂが閉鎖姿勢にある状態では、左右の可動片４Ａ，４Ｂは内側面を略平行に対向させて起立姿勢となっている（図１、図２）。可動片４Ａ，４Ｂが開放姿勢になった状態では、左右の可動片４Ａ，４Ｂは互いに離間方向へ傾倒する（図４、図５）。これにより、可動片４Ａ，４Ｂ間に形成される入賞開口１１の開口径は、可動片４Ａ，４Ｂが閉鎖姿勢にある場合には、これに進入する遊技球（入賞球）Ｂの外径よりやや大きい程度である（図２）のに対して、可動片４Ａ，４Ｂが開放姿勢にある場合には入賞球Ｂの外径に対して十分大きくなる（図５）。
【００１６】
容器部２１内に収納された操作部材３は長方形状の板体で、その中間位置に幅方向へ貫設された軸部材３１（図３、図６）が容器部２１の側壁間に回転可能に支持されて、天秤式に傾動可能である。操作部材３の一方の側縁にはこれに沿って長手方向へ一定高さのガイド壁３２が形成されて、操作部材３の上面に落下させられた入賞球Ｂを他端部たる後端部（図３、図６の右端部）３９方向へ確実に案内するようにしてある。操作部材３は傾倒状態ではその一端部（前端部）３４が下降し（図３）、全体が後方へやや下り傾斜している。前端部３４が上昇した傾斜状態では（図６）、操作部材３は全体が大きく後方へ下り傾斜する。操作部材３の後端部３９には段付きに低くなりかつ側方へ傾斜した凹所３３が形成されており、操作部材３上に落下させられた入賞球Ｂは前端部３４方向へ逆流することなく上記傾斜にしたがって操作部材３上から図略の流路へ落下排出されるようになっている。
【００１７】
傾倒状態の操作部材３の前端部３４は左右の可動片４Ａ，４Ｂの基端部間に割り込むように位置してこれら可動片４Ａ，４Ｂを起立させ、閉鎖させている（図３）。この状態で上記前端部３４は、左右の可動片４Ａ，４Ｂが開いた際（図６の状態）に入賞球Ｂが流下する流路となる前壁２１１，２２２間の空間Ｓ内に突出するが、当該前端部３４には、流路Ｓ内を流下する入賞球Ｂを下方へ支障無く通過させるように切欠き部３５が形成されている。また、切欠き部３５に隣接した操作部材３の前端部３４板面上には山形断面のストッパ部３６が一定幅で突出形成されている。操作部材３の前半部内には重錘３７が埋設されて傾倒状態を確実に維持するようになっている。また、操作部材３の後端部には下方へ露出させて幅方向へ延びる磁石体３８が嵌着されており、上記後端部３９の下方には容器部２１の側壁間に、上記磁石体３８が吸着可能な金属製棒体２６が架設されている。操作部材３が傾斜状態になると（図６）磁石体３８が棒体２６に吸着して傾斜状態を確実に維持するようになっている。操作部材３の前半部下面からは下方へ当接部４０が突出している。当接部４０は下端が前方へ屈曲し、下端部４０１は前方へ漸次狭幅になって流路Ｓ内に突出している。
【００１８】
操作部材３には中間部上面から上方へ姿勢変更アーム５が突出させてある。姿勢変更アーム５は操作部材３の傾動に伴ってこれと一体に、軸部材３１を中心に旋回するように移動する。姿勢変更アーム５の先端には支持ピン５１が図３、図６の紙面手前側へ延びる水平姿勢で設けてあり、操作部材３が傾倒した状態では、姿勢変更アーム５は斜め前方へ向いて（図３）支持ピン５１は相対的に低い位置にある。一方、操作部材３が傾斜した状態では、姿勢変更アーム５は垂直上方を向き（図６）支持ピン５１は相対的に高い位置に移動する。
【００１９】
前壁２２の後面上端の幅方向中央には入賞開口１１内へ支持片２２３（図２、図５）が突出させられ、この支持片２２３に基端６１を回動可能に軸支して、振分け部材としての振分け棒体６が設けてある。振分け棒体６の詳細を図７〜図９に示す。図７は振分け棒体６の側面図、図８はその平面図、図９はその断面図である。振分け棒体６は金属板体を下方へ開く略逆Ｕ字形に屈曲成形したもので、平面視では基端６１から先端６２まで一定幅となり、側面視では先端に向けて漸次細くなっている。そして、その頂壁６３は幅方向の中央に頂点を有する山形断面に成形されている。なお、振分け棒体６の断面形状は頂点を有する形状であれば特に山形には限定されず、例えば円柱形状でも良い。また、「頂点」には若干の水平部を有するものも含まれる。
【００２０】
振分け棒体６は、操作部材３が傾倒状態にある場合（図３）、すなわち可動片４Ａ，４Ｂが閉鎖姿勢にある状態では、起立した左右の可動片４Ａ，４Ｂの中央部に位置しており、中間部下面が姿勢変更アーム５の支持ピン５１に支持されて、操作部材３の後端部３９方向に位置する先端６２に向けて下り傾斜している。この状態で、入賞開口１１へ遊技球Ｂが進入すると、進入した遊技球（入賞球）Ｂは、起立した可動片４Ａ，４Ｂの内側面によって左右方向への移動が規制されているため、振分け棒体６の傾斜した上面をこれに沿って先端６２方向へ転動させられて（図３）、操作部材３の後端部３９上へ落下させられる。後端部３９に入賞球Ｂの荷重が加わると当該後端部３９が下方へ移動して操作部材３は図６に示す傾斜状態へ回動する。この状態では、操作部材３の前端部３４が上昇して可動片４Ａ，４Ｂは開放姿勢となる。この時、操作部材３の後端部３９上の入賞球Ｂは凹所３３から図略の流路へ流出させられる。
【００２１】
操作部材３の傾斜状態への回動に伴って、これと一体に旋回する姿勢変更アーム５においては、支持ピン５１がその高さを高くしつつ振分け棒体６の先端６２へ向けて移動し、振分け棒体６は先端６２に向けて上り傾斜した姿勢となる。この結果、振分け棒体６と容器部２１の頂壁開口縁２１３との間隔が遊技球Ｂの外径よりも小さくなる。この状態で、入賞開口１１の中央付近（振分け棒体６上）へ遊技球Ｂが進入すると、進入した遊技球（入賞球）Ｂは、振分け棒体６上をその先端６２方向へは移動できず、基端６１近くに留まろうとする。ところが、山形断面に形成された振分け棒体６の頂壁６３上には留まれず、バランスを崩して速やかに左右の可動片４Ａ，４Ｂ上に落下して、これらの間から流路Ｓに進入し、ここに大きく突出している当接部４０の下端部（一端部側）４０１に当接する。下端部４０１に入賞球Ｂの荷重が加わると操作部材３は前端部３４が下降して図３に示す傾倒状態へ戻り、これに伴って、振分け棒体６は再び先端６２に向けて下り傾斜した状態となる。このように、振分け棒体６を設けたことによって、可動片４Ａ，４Ｂが閉鎖姿勢にある時の入賞球Ｂは操作部材３の後端部３９側へ、可動片４Ａ，４Ｂが開放姿勢にある時の入賞球Ｂは操作部材３の前端部３４側へ確実に振り分けられてそれぞれ別流路へ分流させられる。
【００２２】
可動片４Ａ，４Ｂが開放姿勢にある状態で複数の入賞球Ｂが連続して入賞開口１１に進入すると、最初の入賞球Ｂによって上述のように操作部材３は前端部３４が下降移動させられ、傾倒状態に向けて傾動する。そこで仮に、続く入賞球Ｂが、傾倒させられた操作部材３の前端部３４上面に載って後端部３９方向へ転動すると、その重量によって操作部材３が再び傾斜状態に戻って可動片４Ａ，４Ｂが開放されてしまう。ここにおいて、本実施形態では操作部材３の前端部３４に、入賞球Ｂを下方へ支障無く通過させるような切欠き部３５が形成されているから、連続して進入する入賞球Ｂは、傾倒した操作部材３の上面に載ることはなく、下方へ通過させられて当接部４０の下端部４０１上を通過して落下排出される。このようにして、可動片４Ａ，４Ｂが開いた状態で複数の入賞球Ｂが連続して可動片４Ａ，４Ｂに進入しても、操作部材３の傾倒状態が確実に維持されて、可動片４Ａ，４Ｂが再び開放されることはない。
【００２３】
また、本実施形態では、操作部材３の前端部３４上面にストッパ部３６が突設されているから、可動片４Ａ，４Ｂが閉鎖姿勢のときに進入してこれらを開放姿勢にする入賞球Ｂが操作部材３に当ったり、複数入賞した入賞球Ｂ同士が接触する等によって操作部材３の前端部３４方向へ跳ねる（流下する）ことがあっても、ストッパ部３６の存在によって前端部３４方向への移動が阻止され、操作部材３の前端部３４が上昇した傾斜状態、すなわち可動片４Ａ，４Ｂの開放姿勢が確実に維持される。また、可動片４Ａ，４Ｂが開放姿勢のときに進入してこれらを閉鎖姿勢にする入賞球Ｂが可動片４Ａ，４Ｂに当たる等によって操作部材３の後端部３９方向へ跳ねることがあっても、ストッパ部３６によって後端部３９方向への移動は阻止され、操作部材３の前端部３４が下降した傾倒状態、すなわち可動片４Ａ，４Ｂの閉鎖姿勢が確実に維持される。なお、振分け棒体６は必ずしも傾動可能とする必要はなく、水平に固定されたものであっても良い。本実施形態においては、可動片４Ａ，４Ｂが開放姿勢の時の、操作部材後端部３９への遊技球Ｂの進入を振分け棒体６により阻止する構成としたが、振分け棒体６とは別の、可動片４Ａ，４Ｂの各姿勢に応じて作動するシャッタ機構を設けることで遊技球Ｂの進入を阻止する構成とすることもできる。
【００２４】
（他の実施形態）
図１０、図１１に示す入賞球受口器では、カバー部２２の前壁２２２中央に上下方向へ延びる一定幅のスリット２２４が形成されている。これによれば、可動片４Ａ，４Ｂが開放姿勢にある状態で、入賞開口１１から進入して流路Ｓ内を下方へ移動する入賞球Ｂが、スリット２２４を介して外部から視認でき、遊技の興趣を高めることができる。また、遊技者が、振分け棒体６によって確実に遊技球Ｂが振り分けられたことを認識できるので、遊技者の利益と大きく関わる役物装置としての信頼性が高くなる。
【図面の簡単な説明】
【００２５】
【図１】本発明の一実施形態を示す、可動片が閉鎖姿勢にある状態での入賞球受口器の斜視図である。
【図２】可動片が閉鎖姿勢にある状態での入賞球受口器の正面図である。
【図３】可動片が閉鎖姿勢にある状態での入賞球受口器の垂直断面図である。
【図４】可動片が開放姿勢にある状態での入賞球受口器の斜視図である。
【図５】可動片が開放姿勢にある状態での入賞球受口器の正面図である。
【図６】可動片が開放姿勢にある状態での入賞球受口器の垂直断面図である。
【図７】振分け棒体の側面図である。
【図８】振分け棒体の平面図である。
【図９】図７のIX−IX線に沿った断面図である。
【図１０】本発明の他の実施形態を示す、可動片が開放姿勢にある状態での入賞球受口器の正面図である。
【図１１】可動片が開放姿勢にある状態での入賞球受口器の垂直断面図である。
【符号の説明】
【００２６】
２…筐体、３…操作部材、３４…一端部、３９…他端部、４Ａ，４Ｂ…可動片、５…姿勢変更アーム、６…振分け棒体、Ｂ…入賞球（遊技球）、Ｓ…流路（空間）。
【図１】
2005342378.tif 000003
【図２】
2005342378.tif 000004
【図３】
2005342378.tif 000005
【図４】
2005342378.tif 000006
【図５】
2005342378.tif 000007
【図６】
2005342378.tif 000008
【図７】
2005342378.tif 000009
【図８】
2005342378.tif 000010
【図９】
2005342378.tif 000011
【図１０】
2005342378.tif 000012
【図１１】
2005342378.tif 000013